(57)【要約】【課題】災害等の非常時の際に避難できるシェルタ機能を損なうことなく、平常時には、居住空間内に外気を吸入可能にし、しかも、居住空間内の内気圧を外気圧より高く保持できるようにし、居住性を向上させて長期滞在が快適にできるようにする。【解決手段】放射線を遮断可能な外壁１０によりカプセル状に形成され、外壁１０内に居住空間６０を形成した居住型シェルタＳにおいて、居住空間６０内に外気を吸入可能にし、居住空間６０内の内気圧を外気圧より高く加圧する加圧装置２０と、加圧装置２０で加圧された内気圧を所定の気圧に保持する気圧保持装置９０とを設けた。【選択図】  図１
2005016216.tif 000002
【特許請求の範囲】
【請求項１】
放射線を遮断可能な外壁によりカプセル状に形成され、該外壁内に居住空間を形成してなる居住型シェルタにおいて、
上記居住空間内に外気を吸入可能にし、該居住空間内の内気圧を外気圧より高く加圧する加圧装置と、該加圧装置で加圧された内気圧を所定の気圧に保持する気圧保持装置とを設けたことを特徴とする居住型シェルタ。
【請求項２】
上記加圧装置を、外気を吸入する吸入口と、上記吸入口からの外気を上記居住空間内に送出する送出口と、上記吸入口と上記送出口との間の通気路と、該通気路の途中に設けられ吸入口からの空気を圧縮するコンプレッサとを備えて構成したことを特徴とする請求項１記載の居住型シェルタ。
【請求項３】
上記通気路を屋根の内側に沿って設けたことを特徴とする請求項２記載の居住型シェルタ。
【請求項４】
上記吸入口に有害ガスを取り除く有害ガスフィルタを備えたことを特徴とする請求項２または３記載の居住型シェルタ。
【請求項５】
上記通気路内に有害物質を取り除くフィルタを充填したことを特徴とする請求項２，３または４記載の居住型シェルタ。
【請求項６】
上記加圧保持装置を、上記居住空間内の空気を流出させる流出口と、流出口からの空気を外部に排気する排気口と、上記流出口と排気口との間の導通路と、該導通路に設けられ上記居住空間内の内気圧を調整する調整バルブを備えたことを特徴とする請求項１，２，３，４または５記載の居住型シェルタ。
【請求項７】
上記導通路をパイプを備えて構成し、上記調整バルブを、上記パイプの開口面積を可変可能に構成したことを特徴とする請求項６記載の居住型シェルタ。
【請求項８】
上記外壁に設けられる外出入口と、該外出入口に設けられる開閉可能なドアと、上記居住空間内に出入りする内出入口と、該内出入口に設けられる開閉可能な開閉体とを備えた密閉可能な前室を備えたことを特徴とする請求項１，２，３，４，５，６または７記載の居住型シェルタ。
【請求項９】
上記前室内の圧力を調整する調整弁装置を設けたことを特徴とする請求項８記載の居住型シェルタ。
【請求項１０】
上記調整弁装置を、開閉可能な電磁弁を備え上記居住空間と上記前室とを連通し上記前室の気圧を上記居住空間の内気圧と同じ気圧に昇圧する昇圧部と、開閉可能な電磁弁を備え上記前室と外気とを連通し該前室の空気を外に排出して外気圧と同じ気圧に降圧する降圧部とを備えて構成したことを特徴とする請求項９記載の居住型シェルタ。
【請求項１１】
上記前室を上記居住空間の下側に設け、上記内出入口を上記前室の天井に設け、該内出入口の開閉体を昇降動可能に支持し、該開閉体を昇降動させる昇降機構を備えたことを特徴とする請求項８，９または１０記載の居住型シェルタ。
【請求項１２】
上記開閉体を、上昇時に内出入口を閉じる昇降台と、該昇降台の上方に設けられ下降時に内出入口を閉じる天板と、上記昇降台に対して上記天板を支持する複数の支柱とを備えて構成したことを特徴とする請求項１１記載の居住型シェルタ。
【請求項１３】
上記支柱をパイプ状に形成し、上記前室の底部から上記居住空間の天井まで延び上記支柱に挿通されて上記支柱をガイドするガイドシャフトを設けたことを特徴とする請求項１２記載の居住型シェルタ。
【請求項１４】
上記昇降機構を、上記ガイドシャフトに形成されるラックと、上記開閉体に設けられ上記ラックに噛合するピニオンギアと、該ピニオンギアを回転させるモータとを備えて構成したことを特徴とする請求項１１，１２または１３記載の居住型シェルタ。
【請求項１５】
上記昇降台または上記天板をベッドとして使用可能に形成したことを特徴とする請求項１１，１２，１３または１４記載の居住型シェルタ。
【請求項１６】
上記前室の周囲に上記居住空間を上下に仕切る床を形成し、該床の床下に上記居住空間から排出される汚水や汚物を貯留する貯留槽を設けたことを特徴とする請求項８，９，１０，１１，１２，１３，１４または１５記載の居住型シェルタ。
【請求項１７】
上記床を上記前室の天井より低い位置に形成し、該床の床上をシャワー室として構成したことを特徴とする請求項１６記載の居住型シェルタ。
【請求項１８】
上記シャワー室を区画する開閉可能な撥水カーテンを設けたことを特徴とする請求項１７記載の居住型シェルタ。
【請求項１９】
上記シャワー室の床に、浴槽を設けたことを特徴とする請求項１７または１８記載の居住型シェルタ。
【請求項２０】
上記居住空間内の空気が導入される流出口と、流出口からの空気を外部に排気する排気口と、上記流出口と排気口との間の導通路とを設け、上記浴槽に上記流出口を設け、上記導通路を上記貯留槽を通過するように形成したことを特徴とする請求項１９記載の居住型シェルタ。
【請求項２１】
上記浴槽の開口に設置される複数の脚及び該脚に支持され該浴槽の開口を覆う甲板を有したテーブルを設け、該テーブルを居住者の足を浴槽内に入れかつ上記床に座して使用可能にしたことを特徴とする請求項１９または２０記載の居住型シェルタ。
【請求項２２】
上記テーブルの脚を折りたたみ可能にして該テーブルの甲板を浴槽の蓋としても使用可能にし、上記甲板に上記流出口を設けたことを特徴とする請求項２１記載の居住型シェルタ。
【請求項２３】
上記シャワー室の床を上記浴槽の開口から床の外周に向かって下る斜面に形成し、該床の外周に上記貯留槽に連通する排水口を設けたことを特徴とする請求項１９，２０，２１または２２記載の居住型シェルタ。
【請求項２４】
上記シャワー室の床をカラマウントで形成したことを特徴とする請求項２３記載の居住型シェルタ。
【請求項２５】
上記床下に、燃料を収納する燃料タンクを備えたことを特徴とする請求項１６，１７，１８，１９，２０，２１，２２，２３または２４記載の居住型シェルタ。
【請求項２６】
上記床下に、上記居住空間内に酸素を供給可能な酸素ボンベを備えたことを特徴とする請求項１６，１７，１８，１９，２０，２１，２２，２３，２４または２５記載の居住型シェルタ。
【請求項２７】
上記床下に、上記居住空間内に電力を供給可能なバッテリを備えたことを特徴とする請求項１６，１７，１８，１９，２０，２１，２２，２３，２４，２５または２６記載の居住型シェルタ。
【請求項２８】
上記屋根に太陽光を受光して発電する太陽光発電パネルを付設し、該太陽光発電パネルにより上記バッテリを充電可能にしたことを特徴とする請求項２７記載の居住型シェルタ。
【請求項２９】
上記居住空間に光線治療用の照明灯を備えたことを特徴とする請求項１，２，３，４，５，６，７，８，９，１０，１１，１２，１３，１４，１５，１６，１７，１８，１９，２０，２１，２２，２３，２４，２５，２６，２７または２８記載の居住型シェルタ。
【請求項３０】
上記屋根裏に、複数の隔壁で仕切られた貯水タンクを設けたことを特徴とする請求項１，２，３，４，５，６，７，８，９，１０，１１，１２，１３，１４，１５，１６，１７，１８，１９，２０，２１，２２，２３，２４，２５，２６，２７，２８または２９記載の居住型シェルタ。
【請求項３１】
上記外壁を円筒形状にしたことを特徴とする請求項１，２，３，４，５，６，７，８，９，１０，１１，１２，１３，１４，１５，１６，１７，１８，１９，２０，２１，２２，２３，２４，２５，２６，２７，２８，２９または３０記載の居住型シェルタ。
【請求項３２】
上記外壁表面を断面波形に形成したことを特徴とする請求項１，２，３，４，５，６，７，８，９，１０，１１，１２，１３，１４，１５，１６，１７，１８，１９，２０，２１，２２，２３，２４，２５，２６，２７，２８，２９，３０または３１記載の居住型シェルタ。
【発明の詳細な説明】
【０００１】
【発明の属する技術分野】
本発明は、放射線を遮断可能な外壁によりカプセル状に形成され、外壁内に居住空間を形成してなる居住型シェルタに関する。
【０００２】
【従来の技術】
従来、この種の居住型シェルタとしては、例えば、特許文献１（特許第２５１４１６５号公報）に掲載されたものが知られている。
【０００３】
図７に示すように、この居住型シェルタＳａは、衝撃や高熱に耐えられる鉄やステンレス等で形成される外壁１によりカプセル状に形成され、外壁１内には居住空間２が形成されている。外壁１には開閉扉を備えた出入口（図示せず）が設けられている。
居住空間２内には、腰掛け３と、避難した際に必要な生活用品４を載置された網棚５と、この網棚５の縁部から吊下される複数の吊り輪６が備えられている。また、この居住型シェルタＳａには、外部から居住空間２に連通する通気孔７が設けられている。腰掛け３の下には、酸素ボンベ８が設けられている。そして、通気孔７に設けた空気調整弁９により、常時は外気を遮断するとともに居住空間２内の内気圧が高くなると居住空間２の空気を外部に放出するようにしている。
【０００４】
【特許文献１】
特許第２５１４１６５号公報
【０００５】
【発明が解決しようとする課題】
ところで、このような従来の居住型シェルタＳａにあっては、居住空間２内の酸素ボンベ８から生活に必要な酸素を得ているので、開閉扉を閉めた状態では、酸素ボンベ８の量だけしか滞在することができなくなり、そのため、災害等の非常時の際に避難する等、使用目的が限られ、長期滞在には向かないという問題があった。
また、酸素ボンベ８からの酸素供給により、居住空間２内の内気圧が高くなると、空気調整弁９により、居住空間２の空気を外部に放出するようにしているので、内気圧が変動してしまい、そのため、この点でも、長期滞在に不向きになっているという問題があった。
【０００６】
本発明は上記の問題点に鑑みて為されたもので、災害等の非常時の際に避難できるシェルタ機能を損なうことなく、平常時には、居住空間内に外気を吸入可能にし、しかも、居住空間内の内気圧を外気圧より高く保持できるようにし、居住性を向上させて長期滞在が快適にできるようにした居住型シェルタを提供することを目的とする。
【０００７】
【課題を解決するための手段】
このような目的を達成するための本発明の居住型シェルタは、放射線を遮断可能な外壁によりカプセル状に形成され、該外壁内に居住空間を形成してなる居住型シェルタにおいて、上記居住空間内に外気を吸入可能にし、該居住空間内の内気圧を外気圧より高く加圧する加圧装置と、該加圧装置で加圧された内気圧を所定の気圧に保持する気圧保持装置とを設けた構成としている。
この居住型シェルタを使用する際は、加圧装置により居住空間が加圧されるとともに、気圧保持装置により加圧された内気圧が所定の気圧に保持される。内気圧は、適宜に定めてよいが、例えば、約２０００ｈＰａに保持することが望ましい。
そのため、常時外気圧より高い一定の気圧環境で居住することができ、一般に外気圧より高い環境は、健康に良いとされ、また、気圧変動がないことから、居住性が向上させられ長期滞在が快適にできるようになる。このため、療養施設としても使用することができ、使用用途を広げることができる。
一方、災害等の非常時においては、放射線を遮断可能な外壁によりカプセル状に形成されているので、シェルタ機能が発揮される。
【０００８】
また、必要に応じ、上記加圧装置を、上記外気を吸入する吸入口と、上記吸入口からの外気を上記居住空間内に送出する送出口と、上記吸入口と上記送出口との間の通気路と、該通気路の途中に設けられ吸入口からの空気を圧縮するコンプレッサとを備えて構成されている。コンプレッサは、既存のものを使用して良く、構造が簡単になり、コスト安になる。
更に、必要に応じ、上記通気路を屋根の内側に沿って設けている。このため、屋根裏を利用できるので、それだけ居住空間を広げることができる。
【０００９】
更にまた、必要に応じ、上記吸入口に有害ガスを取り除く有害ガスフィルタを備えている。外気に含まれる有害なガスを取り除くことができ、有害なガスが居住型シェルタの周囲にあっても、空気を無害にして居住空間内に取り入れることができる。
そしてまた、必要に応じ、上記通気路内に有害物質を取り除くフィルタを充填している。外気に含まれる有害物質が居住空間に入るのを防ぐことができ、例えば、外気が放射線物質等に汚染されていても、空気を無害にして居住空間内に取り入れることができる。
【００１０】
また、必要に応じ、上記加圧保持装置を、上記居住空間内の空気を流出させる流出口と、流出口からの空気を外部に排気する排気口と、上記流出口と排気口との間の導通路と、該導通路に設けられ上記居住空間内の内気圧を調整する調整バルブとを備えた構成としている。居住空間内の空気は、流出口から導通路を経て、排気口から排気される。この際は、調整バルブにより、居住空間内が一定の気圧に保持される。また、装置の構造が簡単になり、コスト安になる。
この場合、上記導通路をパイプを備えて構成し、上記調整バルブを、上記パイプの開口面積を可変可能に構成したことが有効である。より一層装置の構造が簡単になり、コスト安になる。
【００１１】
更にまた、必要に応じ、上記外壁に設けられる外出入口と、該外出入口に設けられる開閉可能なドアと、上記居住空間内に出入りする内出入口と、該内出入口に設けられる開閉可能な開閉体とを備えた密閉可能な前室を備えている。
この居住型シェルタに入る際は、まず、内出入口を開閉体により閉めた状態で、外出入口のドアを開けて前室に入りドアを閉める。それから開閉体を開けて居住空間に入る。また、居住型シェルタから出る際は、予め前室の外出入口を閉めてから、開閉体を開けて前室に入り、開閉体により内出入口を閉めてから、外出入口のドアを開けて外部に出る。
ドアかまたは開閉体により居住空間内の空気と外気とを隔てて出入りできるので、居住空間内の空気と外部の空気の急激な流通は起こらなくなり、内部空間の環境を保持でき、居住性が向上させられ長期滞在が快適にできるようになる。
【００１２】
また、必要に応じ、上記前室内の圧力を調整する調整弁装置を設けている。
この居住型シェルタに入る際、前室に入った後、この調整弁装置を用いて、前室の気圧を居住空間の内気圧と同じにする。一方、居住型シェルタから出る際は、予め前室の外出入口を閉めて前室の気圧を予め居住空間の内気圧と同じにしてから前室に入る。そして、開閉体を閉めてから前室の空気を外気圧と同じにする。そのため、居住空間内の空気と外部の空気の急激な流通を、確実に抑止することができ、より一層居住性が向上させられ長期滞在が快適にできるようになる。
【００１３】
また、上記調整弁装置を、開閉可能な電磁弁を備え上記居住空間と上記前室とを連通し上記前室の気圧を上記居住空間の内気圧と同じ気圧に昇圧する昇圧部と、開閉可能な電磁弁を備え上記前室と外気とを連通し該前室の空気を外に排出して外気圧と同じ気圧に降圧する降圧部とを備えて構成している。昇圧部及び降圧部の電磁弁操作で、前室の圧力調整を行なうことができるので、操作性が向上させられる。
【００１４】
更に、必要に応じ、上記前室を上記居住空間の下側に設け、上記内出入口を上記前室の天井に設け、該内出入口の開閉体を昇降動可能に支持し、該開閉体を昇降動させる昇降機構を備えた構成としている。開閉体を昇降動させて居住空間に対する出入りができ、出入りが容易になる。
【００１５】
更にまた、必要に応じ、上記開閉体を、上昇時に内出入口を閉じる昇降台と、該昇降台の上方に設けられ下降時に内出入口を閉じる天板と、上記昇降台に対して上記天板を支持する複数の支柱とを備えて構成している。支柱があるので、居住者が昇降台に乗った際の安全が図られる。
そしてまた、必要に応じ、上記支柱をパイプ状に形成し、上記前室の底部から上記居住空間の天井まで延び上記支柱に挿通されて上記支柱をガイドするガイドシャフトを設けた構成としている。ガイドシャフトにガイドされるので、その動きが一義的になり、それだけ揺れにくくなる。
【００１６】
次にまた、必要に応じ、上記昇降機構を、上記ガイドシャフトに形成されるラックと、上記開閉体に設けられ上記ラックに噛合するとともに該ラックを往復動するピニオンギアと、該ピニオンギアを回転させるモータとを備えて構成している。機構を簡単にすることができる。
また、必要に応じ、上記昇降台または上記天板をベッドとして使用可能に形成している。狭い居住空間を、効率よく利用することができる。
【００１７】
また、必要に応じ、上記前室の周囲に上記居住空間を上下に仕切る床を形成し、該床の床下に上記居住空間から排出される汚水や汚物を貯留する貯留槽を設けた構成としている。汚水や汚物を貯留できるので、周囲の環境を害することなく長期滞在を可能にすることができる。
更に、必要に応じ、上記床上をシャワー室として構成している。狭い居住空間を効率よく利用することができるとともに居住性が向上させられ長期滞在が快適にできるようになる。
更にまた、必要に応じ、上記シャワー室を区画する開閉可能な撥水カーテンを設けている。他の空間にシャワーの水が及ばないので、狭い居住空間を効率よく利用することができるとともに居住性が向上させられ長期滞在が快適にできるようになる。
【００１８】
そしてまた、必要に応じ、上記シャワー室の床に、浴槽を設けている。狭い居住空間を効率よく利用することができるとともに居住性が向上させられ長期滞在が快適にできるようになる。
次にまた、必要に応じ、上記居住空間内の空気が導入される流出口と、流出口からの空気を外部に排気する排気口と、上記流出口と排気口との間の導通路とを設け、上記浴槽に上記流出口を設け、上記導通路を上記貯留槽を通過するように形成した構成としている。貯留槽の臭気を排気できるので、居住性が向上させられ長期滞在が快適にできるようになる。
【００１９】
また、必要に応じ、上記浴槽の開口に設置される複数の脚及び該脚に支持され該浴槽の開口を覆う甲板を有したテーブルを設け、該テーブルを居住者の足を浴槽内に入れかつ上記床に座して使用可能にした構成としている。浴槽使用外は居間として使用でき、狭い居住空間を効率よく利用することができる。
更に、必要に応じ、上記テーブルの脚を折りたたみ可能にして該テーブルの甲板を浴槽の蓋としても使用可能にし、上記甲板に上記流出口を設けた構成としている。テーブルを折り畳めば、シャワー室の床になるので、テーブルを効率よく利用することができる。また、流出口からの空気の流通が確保される。
【００２０】
更にまた、必要に応じ、上記シャワー室の床を上記浴槽の開口から床の外周に向かって下る斜面に形成し、該床の外周に上記貯留槽に連通する排水口を設けた構成としている。シャワーを使用した際の排水が確実に行なわれる。
また、必要に応じ、上記シャワー室の床をカラマウントで形成している。排水性が向上させられる。
【００２１】
次にまた、必要に応じ、上記床下に、燃料を収納する燃料タンクを備えている。床下を利用するので、狭い居住空間を効率よく利用することができる。
そしてまた、必要に応じ、上記床下に、上記居住空間内に酸素を供給可能な酸素ボンベを備えている。床下を利用するので、狭い居住空間を効率よく利用することができる。
【００２２】
また、必要に応じ、上記床下に、上記居住空間内に電力を供給可能なバッテリを備えている。床下を利用するので、狭い居住空間を効率よく利用することができる。
この場合、上記屋根に太陽光を受光して発電する太陽光発電パネルを付設し、該太陽光発電パネルにより上記バッテリを充電可能にしたことが有効である。特に非常時に電力供給を自ら行なうことができる。
【００２３】
また、必要に応じ、上記居住空間に光線治療用の照明灯を備えている。このため、療養施設としても使用することができ、使用用途を広げることができる。
また、必要に応じ、上記屋根裏に、複数の隔壁で仕切られた貯水タンクを設けている。屋根裏を利用するので、狭い居住空間を効率よく利用することができる。
【００２４】
更に、必要に応じ、上記外壁を円筒形状にしている。強度が高くなる。
更にまた、必要に応じ、上記外壁表面を断面波形に形成している。強度が高くなるとともに、熱放射効率も良く、温度変化に対する外壁の膨張，収縮に確実に対応することができ、耐久性が向上させられる。
【００２５】
【発明の実施の形態】
以下、添付図面に基づいて、本発明の実施の形態に係る居住型シェルタについて詳細に説明する。
図１乃至図６には、居住型シェルタＳを示している。この居住型シェルタＳは、車で牽引されて移動可能なタイプのものであり、放射線を遮断可能な外壁１０によりカプセル状に形成され、この外壁１０内に居住空間６０を形成して構成されている。
【００２６】
居住型シェルタＳの外壁１０は、図１及び図２に示すように、円筒形状に形成され、その表面１１は、断面が波形に形成され、例えば、コルゲートパイプ等で構成されている。表面１１が波形なので、温度変化に対する外壁１０の膨張，収縮に確実に対応することができ、耐久性が向上させられる。円筒形状なので、強度がつよくなる。
この外壁１０の内部には、放射線を遮断可能にするとともに、居住型シェルタＳの外部と居住空間６０とを断熱する放射線カット断熱材１２が備えられている。放射線を遮断し、居住空間６０内を安全に保つことができる。
図１，図３及び図４に示すように、居住型シェルタＳの屋根１３は、円錐形状に形成され、外周縁１３ａは下方に延設されている。屋根１３の裏側には、複数の隔壁１４ａで仕切られた貯水タンク１４が設けられている。隔壁１４ａは、貯水タンク１４の中心軸１７から放射状に延びている。この貯水タンク１４には、飲料可能な水が例えば２００ｋｇ貯えられている。屋根裏を利用するので、狭い居住空間６０を効率よく利用することができる。
居住型シェルタＳの下側の一方には、居住型シェルタＳを移動可能にする一対の車輪１５が設けられている。また、下側の他方には、フックを係止して牽引するための係止具１６が備えられている。
【００２７】
また、この居住型シェルタＳには、居住空間６０内に外気を吸入可能にし、居住空間６０内の内気圧を外気圧より高く加圧する加圧装置２０が設けられている。
加圧装置２０は、外気を吸入する吸入口２１と、吸入口２１からの外気を居住空間６０内に送出する送出口２２と、吸入口２１と送出口２２との間の通気路２３と、この通気路２３の途中に設けられ吸入口２１からの空気を圧縮するコンプレッサ２４とを備えて構成されている。
吸入口２１は、居住型シェルタＳの屋根１３の外周縁１３ａの内側に設けられている。また、この吸入口２１には、有害ガスを取り除く有害ガスフィルタ２１ａが備えられている。
通気路２３は、居住型シェルタＳの屋根１３の内側に沿って設けられ、その内部には有害物質を取り除くフィルタ２３ａが充填されている。
コンプレッサ２４及び送出口２２は、図１及び図３に示すように、貯水タンク１４の中空状に形成された中心軸１７の内部に設けられている。送出口２２は、居住空間６０に臨むようコンプレッサ２４の下側に設けられている。
加圧装置２０は、屋根裏を利用して設けられているので、それだけ居住空間６０を広げることができる。また、コンプレッサ２４（詳細は図示せず）は、既存のものを使用してもよく、この場合は、コスト安にすることができる。
この加圧装置２０により、居住空間６０内の内気圧は１５００ｈＰａ〜２５００ｈＰａに加圧することができる。本発明の実施の形態においては、内気圧は２０００ｈＰａに加圧されている。
【００２８】
また、この居住型シェルタＳには、図１及び図６に示すように、居住空間６０に入る前や外部に出る前に一時的に滞在するための部屋であって、居住空間６０の下側に設けられ密封可能に形成される前室３０が備えられている。
前室３０には、外壁１０に設けられる外出入口３１と、外出入口３１に設けられる開閉可能なドア３２と、前室３０の天井に設けられ居住空間６０内に出入りするための内出入口３３と、内出入口３３に設けられ開閉可能な開閉体３４とが備えられている。
【００２９】
ドア３２は、前室３０側に引いて開くように設けられている。
また、開閉体３４は、上昇時に内出入口３３を閉じる昇降台３５と、この昇降台３５の上方に設けられ下降時に内出入口３３を閉じる天板３６と、昇降台３５に対して天板３６を支持する複数の支柱３７と、昇降台３５の裏面に備えられ、この開閉体３４を昇降動可能に支持しこの開閉体３４を昇降動させる昇降機構４０とが備えられている。
昇降台３５は、矩形板状に形成され、内出入口３３の開口を閉塞する大きさに形成されている。
また天板３６は、内出入口３３と同じ大きさに形成され、開閉体３４の降下時に内出入口３３の居住空間６０側の開口縁部３３ａをシール可能なように、その上面外縁３８が外側に延設されている。
支柱３７は、昇降台３５が降下した際に、天板３６が内出入口３３を閉塞する高さに形成されるとともに、内部が中空状なパイプ状に形成されている。そして、支柱３７の内部には、前室３０の底部から居住空間６０の天井まで延び支柱３７をガイドするガイドシャフト４１が挿通されている。また、ガイドシャフト４１が挿通される天板３６には、支柱３７の内部を通って前室３０の空気が居住空間６０に出入りしないよう、ガイドシャフト４１に摺接するシール部材３９が備えられている。
【００３０】
昇降機構４０は、図５にも示すように、ガイドシャフト４１の下半分に形成されるラック４２と、開閉体３４の昇降台３５から垂設した取付部材４６に回転可能に設けられ上記のラック４２に噛合するピニオンギア４３と、ピニオンギア４３をウオーム４７及びウオームホイル４４を介して回転させるモータ４５とを備えて構成されている。また、前室３０の床には、昇降機構４０の取付部材４６が、昇降台３５の降下端で入り込む凹部４８が形成されている。
これにより、この昇降機構４０において、モータ４５を回転させると、モータ４５の軸に備えられるウオーム４７がウオームホイル４４に噛合してこれを回転させ、これに伴ってピニオンギア４３が回転させられる。開閉体３４を昇降動させるには、モータ４５を回転させるだけでよく、構造が簡単になる。
昇降動を行なう際は、昇降台３５及び天板３６が、支柱３７に挿通されたガイドシャフト４１にガイドされるので、その動きが一義的になり、それだけ揺れにくくなる。
この開閉体３４の昇降台３５及び天板３６は、出入りに使用されない場合は、ベッドとして使用される。
【００３１】
また、図１に戻り、前室３０には、前室３０内部の空気圧を調整する調整弁装置５０が備えられている。
調整弁装置５０は、居住空間６０と前室３０とを連通し前室３０の気圧を居住空間６０の内気圧と同じ気圧に昇圧する昇圧部５１と、前室３０と外気とを連通しこの前室３０の空気を外に排出して外気圧と同じ気圧に降圧する降圧部５２とを備えて構成されている。
昇圧部５１は、居住空間６０と前室３０とを連通する昇圧パイプ５３と、この昇圧パイプ５３を開閉可能にする電磁弁５５とを備えている。この昇圧部５１の電磁弁５５により昇圧パイプ５３を開にすると、居住空間６０の空気が前室３０に流入していき、前室３０の気圧が居住空間６０の内気圧と同じ気圧にすることができる。
また、降圧部５２は、前室３０と外気とを連通する降圧パイプ５４と、この降圧パイプ５４を開閉可能にする電磁弁５５とを備えている。この降圧部５２の電磁弁５５により降圧パイプ５４を開にすると、前室３０の空気が外部に流入していき、前室３０の気圧と外気圧と同じにすることができる。
昇圧部５１及び降圧部５２の電磁弁操作で、前室３０の圧力調整を行なうことができるので、操作性が向上させられる。
また、昇圧パイプ５３及び降圧パイプ５４は、急な気圧の上昇及び降下に伴う人間の体調不良を回避可能なように、所定の時間をかけて徐々に昇圧や降圧を行なうことができるようにその管径が定められている。
【００３２】
更に、この居住型シェルタＳには、居住空間６０内の内気圧と、前室３０の気圧を測定する圧力計装置５６が備えられている。この圧力計装置５６により、居住空間６０の内気圧と、前室３０の気圧を確認することができる。
【００３３】
居住空間６０には、周知のエアコン６１と、周知のエアサイクロン６２とが備えられている。
エアコン６１は、ＬＰガスにより稼働し居住空間６０内の空気を冷却または加温する機能を有している。エアコン６１により居住空間６０内の空気を冷却したり加温したりできるので、居住空間６０内で快適に過ごせるようになり、長期滞在をすることができる。
エアサイクロン６２により、居住空間６０内の空気を循環させることができ、居住空間６０内に空気が滞留しにくくなる。
また、居住空間６０内には、光線治療用の周知の照明灯６３と、この照明灯６３の光を反射するミラー６４が備えられている。ミラー６４は、居住空間６０の内壁に複数設けられている。そして、照明灯６３から光線が照射されると、ミラー６４によりこの光線が居住空間中に反射していく。このため、療養施設としても使用することができ、使用用途を広げることができる。
【００３４】
居住空間６０には、昇降台３５の長辺側に隣接するとともに、上昇した状態の昇降台３５と同じ高さの平面に形成される床を有した控室６５が形成されている。この控室６５は、開閉体３４の昇降の際に、人が待つための空間であって、この控室６５の上方には、複数の支柱３７ａに支持される棚６６が形成されている。
また、この控室６５の昇降台３５に接する床の縁部には、開閉体３４の降下の際に天板３６に手や足等が挟まれる事態を防止するための光センサ６７が備えられている。
この光センサ６７は、例えば、天板３６の側縁部に設けられ控室６５の床に向けて照射する指向性の光を発光する発光体６７ａと、この控室６５の昇降台３５に接する床の縁部に設けられ発光体６７ａから発光された光を受光する受光体６７ｂとを備えている。
発光体６７ａが発光した光が、受光体６７ｂで受光されないと、控室６５から開閉体３４側に障害物があるものとして昇降機構４０を停止する。
また、居住空間６０内であって、昇降台３５の一方の短辺側には、居住の際に使用する物資が収納される棚６６が設けられている。
また、昇降台３５の他方の短辺側には、テレビ，冷蔵庫，電子レンジ等の電気製品６８が設置されている。これらの電気製品６８は、周知のものであってもよく、この場合、コスト安になる。
【００３５】
また、居住空間６０には、前室３０の周囲であって前室３０の天井より低い位置に居住空間６０を上下に仕切る床７０が形成されている。
床７０上は、開閉可能な撥水カーテン８３により区画されるシャワー室７１として構成され、床７０下には、居住空間６０から排出される汚水や汚物を貯留する貯留槽８５が備えられている。撥水カーテン８３は、左右に開閉可能な観音開きに形成され、前室３０の天井側の居住空間６０の床から転落を防止する機能もある。このため、狭い居住空間６０を効率よく利用することができるとともに居住性が向上させられ長期滞在が快適にできるようになる。
【００３６】
シャワー室７１には、居住型シェルタＳの外部に付設される給湯器７２から、ホースを介してお湯が供給される。シャワー室７１が撥水カーテン８３で区画されているので、他の空間にシャワーの水が及ばなくなり、狭い居住空間６０を効率よく利用することができるとともに居住性が向上させられ長期滞在が快適にできるようになる。
また、シャワー室７１の床７０には、中央に浴槽７３が設けられている。浴槽７３の開口には、複数の脚７４及び脚７４に支持され浴槽７３の開口を覆う甲板７５を有したテーブル７６が設けられている。このテーブル７６は、居住者の足を浴槽内に入れかつ床７０に座して使用可能になっている。また、図６に示すように、このテーブル７６は、その脚７４が折りたたみ可能に形成され、甲板７５を浴槽７３の蓋としても使用可能になっている。
この浴槽７３の周囲の床７０は、カラマウントで形成され、浴槽７３の開口から床７０の外周に下る斜面に形成されている。
また、床７０の外周には、シャワー室７１で使用されて出る汚水等を貯留槽８５に排出可能な排水口７７が備えられている。床７０の外周は、排水口７７に向けて若干傾斜がつけられている。また、排水口７７に至った汚水等は、貯留槽８５に排出される。
【００３７】
また、床７０上にはシャワー室７１に隣接するトイレ７８が備えられている。
このトイレ７８は、開閉扉が備えられ、人間が排便するためだけでなく、第２のシャワー室７１としても利用可能なよう排水孔７９が設けられ、ここにも給湯器７２から温水が供給されている。
トイレ７８から排出された、汚水や汚物は貯留槽８５に排出される。
更に、トイレ７８のシャワー室７１を挟んで向かい側には、電磁調理器８１が載置された調理台８０が備えられている。
調理台８０は、貯水タンク１４の水及び給湯器７２のお湯が供給可能な蛇口（図示せず）と、この蛇口から供給された水やお湯を溜めることが可能なシンク８２と、この調理台８０の内部に形成され食器や調理道具等が収納される食器棚（図示せず）とが備えられている。
また、この調理台８０は、電磁調理器８１がシャワー室７１から水が入り込まないようシャワー室７１側には扉（図示せず）が設けられている。
シンク８２は、このシンク８２で使用された水やお湯を貯留槽８５へ排出可能に形成されている。これにより、居住空間６０内で調理をすることができる。
【００３８】
貯留槽８５には、外部に排出可能な汲み取り口８６と、この汲み取り口８６に着脱可能に嵌合させられるキャップ８６ａが備えられている。
居住空間６０内で使用されて排水された汚水等を、貯留槽８５に一時的に溜めることができるようになり、汚水や汚物を貯留できるので、周囲の環境を害することなく長期滞在を可能にすることができる。
また、床７０下の貯留槽８５の周囲には、燃料を収納する燃料タンク８７と、居住空間６０内に酸素を供給可能な酸素ボンベ８８と、バッテリ８９とが設けられている。
燃料タンク８７には、ＬＰガスが封入されている。この燃料タンク８７の燃料により、外壁１０の外側に設けられ燃料タンク８７の燃料により水を沸かす給湯器７２や、居住空間６０内に設けたエアコン６１等にＬＰガスを供給している。
また、酸素ボンベ８８は、居住空間６０内の酸素濃度が一定以下になると、居住空間６０内に酸素を供給するようにしている。酸素ボンベ８８を備えたので、居住空間６０内の酸素濃度が低減しても酸素ボンベ８８の酸素を供給すれば良くなる。
また、バッテリ８９は、防水処理が施されている。また、このバッテリ８９は、居住空間６０内の電気製品６８や電磁弁５５や昇降機構４０のモータ４５等に電力を供給する。
更にまた、屋根１３には、太陽光を受光して発電する太陽光発電パネル１８が付設されており、この太陽光発電パネル１８によりバッテリ８９を充電可能にしている。非常時に電力供給を自ら行なうことができる。
【００３９】
また、居住型シェルタＳには、加圧装置２０で加圧された内気圧を所定の気圧に保持する気圧保持装置９０が設けられている。この気圧保持装置９０は、居住空間６０内の空気が導入される流出口９１と、流出口９１からの空気を外部に排気する排気口９２と、流出口９１と排気口９２との間の導通路９３と、この導通路９３に設けられ居住空間６０内の内気圧を調整する調整バルブ９４とを備えている。
流出口９１は浴槽７３の側壁に設けられている。排気口９２は、貯水タンク１４の中心軸上の屋根１３から外に臨むように設けられている。また、排気口９２には、雨水等が入り込まないようにフード９５が備えられている。
【００４０】
導通路９３は、バッテリ８９の収納される空間や、燃料タンク８７の収納される空間を通過して、貯留槽８５に至るように形成されている。また、この導通路９３には、この貯留槽８５に接続され外壁１０内部から屋根１３に沿って排気口９２まで至るパイプ９６が備えられ、流出口９１から貯留槽８５に至った空気は、このパイプ９６を通って排気口９２から排出される。
調整バルブ９４は、導通路９３のパイプ９６に備えられている。この調整バルブ９４は、パイプ９６の開口面積を可変可能に構成されている。詳しくは、この調整バルブ９４に、予め、所望の居住空間６０の内気圧の値を設定しておく。そして、この居住空間６０内の内気圧が設定された内気圧以上になるとパイプ９６の開口面積を大きくして排気される空気の量を多くし、また、内気圧以下になるとパイプ９６の開口面積を小さくしたり、パイプ９６を閉にして、排気される空気の量を少なくし、居住空間６０内の内気圧を一定に保つようにしている。このため、より一層装置の構造が簡単になり、コスト安になる。
また、浴槽７３の周囲の床７０の外周に備えられた排水口７７を流出口９１として使用しても良い。
【００４１】
従って、この居住型シェルタＳを使用する際は、居住型シェルタＳを自動車等で牽引して適宜の滞在場所へ輸送する。
この状態において、先ず、平常時の居住空間６０においては、導通路９３に設けた調整バルブ９４により予め所望の内気圧の値に設定しておく。それから、加圧装置２０を稼働させて居住空間６０を加圧する。
加圧装置２０が稼働すると、吸入口２１から外気を吸入するとともに、有害ガスフィルタ２１ａにより外気に含まれる有害ガスが除かれる。更に、通気路２３内に充填されるフィルタ２３ａにより有害物質が取り除かれる。そして、コンプレッサ２４によりこの空気を圧縮して送出口２２から居住空間６０内に送り出す。
【００４２】
加圧装置２０は、外気を取り入れて居住空間６０内に空気を送り込むので、常時外気圧より高い気圧環境で居住することができ、一般に外気圧より高い環境は、健康に良いとされ、療養施設としても使用することができ、使用用途を広げることができる。
また、加圧装置２０は外気を取り入れる際、有害ガスフィルタ２１ａ及びフィルタ２３ａを通ることになり、例えば、外気が放射線物質等に汚染されたりして、外気に有害物質が含まれていたり、また、居住型シェルタＳの周囲に有害なガスが発生していても、これらの有害物質やガスを取り除くことができるので、無害な空気を居住空間６０内に取り入れることができる。
【００４３】
また、加圧装置２０によって加圧されると、気圧保持装置９０の調整バルブ９４により居住空間６０内の居住空間６０内を約２０００ｈＰａに加圧された状態に保つ。気圧変動がないことから、居住性が向上させられ長期滞在が快適にできるようになる。この際、空気は、居住空間６０内が加圧されているので、流出口９１から流出していく。そして、流出口９１から導通路９３を経て、排気口９２から排気される。
また、空気は、流出口９１から貯留槽８５を通って排出されるので、貯留槽８５の臭気を排気でき、貯留槽８５の臭気が居住空間６０内に入り込みにくくでき、居住性が向上させられ長期滞在が快適にできるようになる。
【００４４】
次に、この居住型シェルタＳの出入りについて説明する。居住型シェルタＳの居住空間６０に外部から入る際は、予め、開閉体３４を降下させて内出入口３３を開閉体３４の天板３６により閉めた状態で、調整弁装置５０の降圧部５２の電磁弁５５を開にして前室３０の気圧を外気圧と同じにしておく。この状態で、外出入口３１のドア３２を開けて前室３０に入りドア３２を閉め、調整弁装置５０の昇圧部５１の電磁弁５５を開にして、前室３０の気圧を居住空間６０の内気圧と同じにする。次に、開閉体３４の昇降台３５に乗り込んで、開閉体３４を上昇させて居住空間６０に入る。
この場合、外出入口３１が閉じられており、前室３０の気圧と居住空間６０の内気圧とが同じなので、居住空間６０内の空気と外部の空気の急激な流通がなく、安全に入ることができるようになる。
【００４５】
また、居住空間６０から外部に出る際は、予め前室３０の外出入口３１を閉まった状態にしておき、昇降台３５に乗り込んで昇降台３５を降下させる。次に、降圧部５２の電磁弁５５を開にして、前室３０の空気を外部に流出させて、前室３０の気圧を外気圧と同じにする。この状態で、外出入口３１のドア３２を開けて外部に出る。
この場合、居住空間６０の内出入口３３が開閉体３４の天板３６により閉じられており、前室３０の気圧が外気圧と同じになっているので、居住空間６０内の空気と外部の空気の急激な流通がなく、安全に出ることができるようになる。
【００４６】
また、居住空間６０内で寝る際は、天板３６かまたは昇降台３５に横臥する。狭い居住空間６０を効率よく利用することができ、居住性が向上させられ、長期滞在が快適にできる。
また、シャワー室７１でシャワーを浴びる場合は、撥水カーテン８３を閉めて他の空間に水が飛散するのを防ぎ、テーブル７６を折り畳んで、シャワー室７１の床７０とし、給湯器７２から供給されるお湯により体を洗う。テーブル７６の甲板７５をシャワー室７１の床７０にしたので、狭い居住空間６０を効率よく利用することができ、居住性が向上させられ、長期滞在が快適にできる。
また、入浴する際は、テーブル７６を取り外して浴槽７３にお湯を溜めて入浴する。
シャワーを浴びたり浴槽７３にお湯をはって入浴することができ衛生も向上させられるだけでなく、狭い居住空間６０を効率よく利用することができ、居住性が向上させられ、長期滞在が快適にできる。
また、シャワー室７１を使用したり浴槽７３で入浴しても、床７０を浴槽７３の開口から床７０の外周に下る斜面にしたので、シャワーを使用した際の排水が確実に行なわれる。床７０がカラマウントで形成されているので、排水性がよくなる。
また、甲板７５に流出口９１を備えたので、甲板７５で蓋をしても空気の排出が行なわれることになり、内気圧が上がりすぎたりしなくなる。また、甲板７５で蓋がされた浴槽７３に子供等が入り込んでいても、通孔があるので、空気の流通があり事故を未然に防止できる。
【００４７】
更に、居住空間６０で食事をする際は、テーブル７６を組み立てて浴槽７３の開口に設置し、足を浴槽内に入れかつ床に座して使用する。調理においては、冷蔵庫や棚６６に保管した食物を電磁調理器８１や電子レンジで調理することもできる。この場合、シャワー室７１を居間としても使用することができ、それだけ狭い居住空間６０を効率よく利用することができ、この点でも居住性が向上させられ、長期滞在が快適にできる。
排便の際には、トイレ７８に行って開閉扉を閉めて行なう。トイレ７８があるので、居住性が向上させられ、長期滞在が快適にできる。
【００４８】
また、非常時には、一時的に加圧装置２０を停止して外気の取り入れをやめて、酸素ボンベ８８の酸素により生活することもできる。
屋根１３裏に、貯水タンク１４を設けたので、水は放射線を遮り易いので、核爆発が外部で発生して放射線が放射されても、居住空間６０内は放射線の影響が低減されるので、より安全になる。
【００４９】
尚、浴槽７３を入浴に使用したが、これに限定されるものでなく、例えば、野菜などの保存庫としても使用したり、浴槽７３にお湯を溜めたまま、テーブル７６を取り付けて、脚７４を浴槽７３内に入れてフットバスとしても使用しても良い。
【００５０】
【発明の効果】
以上説明したように、本発明の居住型シェルタによれば、居住空間内に外気を吸入可能にし、居住空間内の内気圧を外気圧より高く加圧する加圧装置と、加圧装置で加圧された内気圧を所定の気圧に保持する気圧保持装置とを設けたので、平常時には、外気を取り入れて居住空間内に空気を送り込み、しかも、常時外気圧より高い一定の気圧環境で居住することができ、気圧変動がないことから、居住性が向上させられ長期滞在が快適にできるようになり、療養施設としても使用することができ、使用用途を広げることができる。また、災害等の非常時の際にも避難できるシェルタとしての機能を発揮させることができる。
【図面の簡単な説明】
【図１】本発明の実施の形態に係る居住型シェルタを示す縦断面図である。
【図２】本発明の実施の形態に係る居住型シェルタを示す横断面図である。
【図３】本発明の実施の形態に係る居住型シェルタの図１中Ａ−Ａ断面を示す図である。
【図４】本発明の実施の形態に係る居住型シェルタの屋根の一部拡大断面図である。
【図５】本発明の実施の形態に係る居住型シェルタの昇降機構を示す拡大断面図である。
【図６】本発明の実施の形態に係る居住型シェルタの開閉体が降下した際の状態を示す縦断面図である。
【図７】従来の居住型シェルタの例を示す断面図である。
【符号の説明】
Ｓ  居住型シェルタ
１０  外壁
１１  表面
１２  放射線カット断熱材
１３  屋根
１４  貯水タンク
１７  中心軸
１８  太陽光発電パネル
２０  加圧装置
２１  吸入口
２１ａ  有害ガスフィルタ
２２  送出口
２３  通気路
２３ａ  フィルタ
２４  コンプレッサ
３０  前室
３１  外出入口
３２  ドア
３３  内出入口
３３ａ  内出入口の居住空間側の開口縁部
３４  開閉体
３５  昇降台
３６  天板
３７  支柱
４０  昇降機構
４１  ガイドシャフト
４２  ラック
４３  ピニオンギア
４５  モータ
５０  調整弁装置
５１  昇圧部
５２  降圧部
５５  電磁弁
５６  圧力計装置
６０  居住空間
６３  光線治療用の照明灯
６４  ミラー
６５  控室
７０  床
７１  シャワー室
８３  撥水カーテン
７３  浴槽
７４  脚
７５  甲板
７６  テーブル
７７  排水口
８５  貯留槽
８７  燃料タンク
８８  酸素ボンベ
８９  バッテリ
９０  気圧保持装置
９１  流出口
９２  排気口
９３  導通路
９４  調整バルブ
【図１】
2005016216.tif 000003
【図２】
2005016216.tif 000004
【図３】
2005016216.tif 000005
【図４】
2005016216.tif 000006
【図５】
2005016216.tif 000007
【図６】
2005016216.tif 000008
【図７】
2005016216.tif 000009